(57)【特許請求の範囲】
【請求項１】
配線パターンが形成されたフレキシブル配線基板と、該フレキシブル配線基板が接続された電気光学装置本体と、前記配線パターンを介して供給された信号および電圧に基いて前記電気光学装置本体を駆動するための駆動信号を出力する駆動手段とを有する電気光学装置において、
前記フレキシブル配線基板には、打ち抜き孔が形成可能なように複数の信号調整用配線パターンが形成され、
前記駆動手段は、前記電気光学装置本体に供給する電圧を生成する電圧生成部と、当該電圧生成部に対して信号を出力するデコーダ部とを有し、
前記信号調整用配線パターンは、前記デコーダ部に接続されており、
前記デコーダ部は、前記信号調整用配線パターンが切断されることで入力される信号レベルが変化したときには、所定の信号を前記電圧生成部に入力し、
前記電圧生成部は、前記所定の信号に対応して補正された前記電圧を生成するように構成されていることを特徴とする電気光学装置。
【請求項２】
請求項１において、前記フレキシブル配線基板には、前記複数の信号調整用配線パターンのうちの少なくとも１つを切断する打ち抜き孔が形成されていることを特徴とする電気光学装置。
【請求項３】
請求項１または２において、前記駆動手段は、前記複数の信号調整用配線パターンの各々から所定電位が供給される複数の電気素子を備え、
前記複数の電気素子は、該電気素子に対応する前記信号調整用配線パターンが切断されたときに前記駆動手段において回路的に切り離されるように構成されていることを特徴とする電気光学装置。
【請求項４】
請求項３において、前記複数の信号調整用配線パターンはいずれも、前記フレキシブル配線基板に形成されている配線パターンのうち、定電位が印加されている配線パターンから分岐して前記駆動手段に接続されていることを特徴とする電気光学装置。
【請求項５】
請求項１ないし４のいずれかにおいて、前記駆動手段は、前記フレキシブル配線基板に実装された駆動用ＩＣに構成されていることを特徴とする電気光学装置。
【請求項６】
請求項１ないし４のいずれかにおいて、前記駆動手段は、前記電気光学装置本体に実装された駆動用ＩＣに構成されていることを特徴とする電気光学装置。
【請求項７】
請求項１ないし６のいずれかに規定する電気光学装置を表示部として有することを特徴とする電子機器。
【請求項８】
配線パターンが形成されたフレキシブル配線基板と、該フレキシブル配線基板が接続された電気光学装置本体と、前記配線パターンを介して供給された信号および電圧に基いて前記電気光学装置本体を駆動するための駆動信号を出力する駆動手段と、当該駆動手段に設けられ前記電気光学装置本体に供給する電圧を生成する電圧生成部及び当該電圧生成部に対して信号を出力するデコーダ部とを有する電気光学装置の製造方法において、
前記フレキシブル配線基板には、前記デコーダ部に接続されるように複数の信号調整用配線パターンを形成しておき、
前記電気光学装置本体を駆動したときの結果に基いて、前記フレキシブル配線基板に対して前記複数の信号調整用配線パターンの少なくとも一本を切断する打ち抜き孔を形成し、
前記デコーダ部は、前記信号調整用配線パターンが切断されることで入力される信号レベルが変化したときには、所定の信号を前記電圧生成部に入力し、
前記電圧生成部は、前記所定の信号に対応して補正された前記電圧を生成することを特徴とする電気光学装置の製造方法。
【発明の詳細な説明】
【０００１】
【発明の属する技術分野】
本発明は、電気光学装置本体にフレキシブル配線基板が接続された電気光学装置、この電気光学装置を用いた電子機器、および電気光学装置の製造方法に関するものである。さらに詳しくは、電気光学装置における信号調整技術に関するものである。
【０００２】
【従来の技術】
各種の電気光学装置のうち、たとえば、液晶装置では、一対の基板間に電気光学物質としての液晶が保持された液晶パネル（電気光学装置本体）が用いられている。この液晶装置では、複数の配線パターンが形成されたフレキシブル配線基板を液晶パネルに接続し、これらの配線パターンを介して、パネルあるいはフレキシブル配線基板上に実装された駆動用ＩＣに信号および電圧を供給することによって、液晶パネルで所定の画像を表示する。すなわち、一対の基板間において所定の電圧を画素毎の液晶に印加することによって、この電圧によって液晶の配向状態を画素毎に変化させることにより液晶の層を通過する光を変調させて、所定の画像を表示させる。但し、液晶パネルに対して駆動信号の電圧レベルが最適条件からずれていると、コントラストが低い画像が表示されてしまう。
【０００３】
このため、液晶装置の製造工程では、液晶パネルで所定の表示動作（点灯検査）を実際に行なわせ、その結果に基いて、駆動信号の電圧レベルなどを調整してコントラストなどを最適な条件に合せ込んでいる。
【０００４】
このようなコントラスト調整などを行なうことを目的に、従来は、たとえば、液晶パネルを構成するガラス基板上にＩＴＯ膜などによって画素電極や表示用電極を形成するときに、ＩＴＯ膜によって信号調整用配線パターンを形成しておく一方、駆動用ＩＣにヒューズ機能を設けておき、点灯結果に基いて駆動信号の電圧レベルなどを調整するときには、信号調整用配線パターンをレーザカットする。
【０００５】
【発明が解決しようとする課題】
しかしながら、従来のように、ガラス基板上に形成されたＩＴＯ膜（信号調整用配線パターン）をレーザカットすることによりボリュームを調整する方法では、大掛かりなレーザカット装置を準備しなければならないという問題点がある。
【０００６】
以上の問題点に鑑みて、本発明では、大掛かりなレーザカット装置を用いなくても信号調整を容易に行なうことのできる電気光学装置、この電気光学装置を用いた電子機器、および電気光学装置の製造方法を提供することにある。
【０００７】
【課題を解決するための手段】
上記課題を解決するために、本発明では、配線パターンが形成されたフレキシブル配線基板と、該フレキシブル配線基板が接続された電気光学装置本体と、前記配線パターンを介して供給された信号および電圧に基いて前記電気光学装置本体を駆動するための駆動信号を出力する駆動手段とを有する電気光学装置において、前記フレキシブル配線基板には、打ち抜き孔が形成可能なように複数の信号調整用配線パターンが形成され、前記駆動手段は、前記電気光学装置本体に供給する電圧を生成する電圧生成部と、当該電圧生成部に対して信号を出力するデコーダ部とを有し、前記信号調整用配線パターンは、前記デコーダ部に接続されており、前記デコーダ部は、前記信号調整用配線パターンが切断されることで入力される信号レベルが変化したときには、所定の信号を前記電圧生成部に入力し、前記電圧生成部は、前記所定の信号に対応して補正された前記電圧を生成するように構成されていることを特徴とする。
【０００８】
また、本発明では、配線パターンが形成されたフレキシブル配線基板と、該フレキシブル配線基板が接続された電気光学装置本体と、前記配線パターンを介して供給された信号および電圧に基いて前記電気光学装置本体を駆動するための駆動信号を出力する駆動手段と、当該駆動手段に設けられ前記電気光学装置本体に供給する電圧を生成する電圧生成部及び当該電圧生成部に対して信号を出力するデコーダ部とを有する電気光学装置の製造方法において、前記フレキシブル配線基板には、前記デコーダ部に接続されるように複数の信号調整用配線パターンを形成しておき、前記電気光学装置本体を駆動したときの結果に基いて、前記フレキシブル配線基板に対して前記複数の信号調整用配線パターンの少なくとも一本を切断する打ち抜き孔を形成し、前記デコーダ部は、前記信号調整用配線パターンが切断されることで入力される信号レベルが変化したときには、所定の信号を前記電圧生成部に入力し、前記電圧生成部は、前記所定の信号に対応して補正された前記電圧を生成することを特徴とする。
【０００９】
従って、本発明に係る電気光学装置において、信号調整が必要であったときには、前記フレキシブル配線基板には、前記複数の信号調整用配線パターンのうちの少なくとも１つを切断する打ち抜き孔が形成されている。これに対して、信号調整が不要であったときには、フレキシブル配線基板にはこのような打ち抜き孔は形成されていない。
【００１０】
本発明に係る電気光学装置では、複数の信号調整用配線パターンがフレキシブル配線基板に形成されているので、このフレキシブル配線基板に打ち抜き孔を形成して複数の信号調整用配線パターンのいずれかを切断するだけで信号調整を行なうことができる。従って、本発明では、大掛かりなレーザカット装置を準備しなくても、フレキシブル配線基板にパンチなどにより打ち抜き孔を形成できる簡単な孔開け装置だけで信号調整を行なうことができる。
【００１１】
本発明において、前記駆動手段は、前記複数の信号調整用配線パターンの各々から所定電位が供給される複数の電気素子を備え、該複数の電気素子は、前記信号調整用配線パターンが切断されたときに駆動手段において回路的に切り離されるように構成されている。
【００１２】
本発明において、前記複数の信号調整用配線パターンはいずれも、前記フレキシブル配線基板に形成されている配線パターンのうち、定電位が印加されている配線パターンから分岐して前記駆動手段に接続されていることが好ましい。
【００１３】
本発明は、前記駆動手段が形成されている駆動用ＩＣ（ＩｎｔｅｇｒａｔｅｄＣｉｒｃｕｉｔ）が前記フレキシブル配線基板に実装されている電気光学装置、および前記駆動手段が形成されている駆動用ＩＣが前記電気光学装置本体に実装されている電気光学装置のいずれに対しても適用することができる。
【００１４】
このような電気光学装置は、たとえば電子機器に表示部として用いられる。
【００１５】
【発明の実施の形態】
添付図面を参照して、本発明の実施の形態を説明する。なお、本発明は、電気光学装置本体にフレキシブル配線基板が接続された各種の電気光学装置に適用することができるが、以下の説明では、一対の基板間に液晶（電気光学物質）が保持された液晶パネル（電気光学装置本体）にフレキシブル配線基板が接続された液晶装置（電気光学装置）に対して本発明を適用した例を説明する。
【００１６】
［実施の形態１］
図１は、本発明を適用した電気光学装置としての液晶装置の要部の構成を示す断面図である。図２（Ａ）、（Ｂ）、（Ｃ）はそれぞれ、図１に示す液晶装置の要部の構成を示す平面図、図２（Ａ）のIIｂ−IIｂ′線でフレキシブル配線基板を切断したときの断面図、および図２（Ａ）のIIｃ−IIｃ′線でフレキシブル配線基板を切断したときの断面図である。図３は、図１に示す液晶装置の要部の構成を示すブロック図である。ここで、図１は、図２（Ａ）のII−II′線で液晶装置を切断したときの断面図に相当する。なお、図２（Ａ）において、電気光学装置本体としての液晶パネルに接続されたフレキシブル配線基板には、各種の配線パターンや端子が形成さているが、図２（Ａ）には、主要な配線パターンのみを図示し、その他の配線パターンについては省略してある。
【００１７】
図１において、本形態の液晶装置１００（電気光学装置）はパッシブマトリクス型の表示装置であり、それに用いた液晶パネル１（電気光学装置本体）は、ガラス板、石英板、あるいはプラスチック板からなる透明な薄い第１の透明基板１０と、同じくガラス板、石英板あるいはプラスチック板からなる透明な薄い第２の透明基板２０とを有している。これらの透明基板の一方にはシール剤３０が印刷等によって形成され、このシール剤３０を挟んで第１の透明基板１０と第２の透明基板２０とは、所定の間隙３１（セルギャップ）を隔てて接着固定されている。第１の透明基板１０と第２の透明基板２０とのセルギャップは、第１の透明基板１０と第２の透明基板２０との間に挟まれた多数のスペーサ３２によって規定されている。
【００１８】
図２（Ａ）に示すように、シール剤３０には、液晶４０を注入する際の液晶注入口３０１としての途切れ部分が形成され、この液晶注入口３０１は、ここから液晶４０（電気光学物質）を減圧注入した後、紫外線硬化樹脂からなる封止剤３０５で封止されている。
【００１９】
再び図１において、第１の透明基板１０と第２の透明基板２０との間隙３１のうち、シール剤３０で区画形成された液晶封入領域３００内には液晶４０が封入されている。第１の透明基板１０および第２の透明基板２０の双方にはストライプ状電極１０５、２０５が形成され、それぞれの表面には配向膜１０１、２０１が形成され、液晶４０としては例えばＳＴＮ（Ｓｕｐｅｒ  Ｔｗｉｓｔｅｄ  Ｎｅｍａｔｉｃ）型を用いるようになっている。
【００２０】
本形態の液晶パネル１は透過型であり、光入射側となる第１の透明基板１０、および光出射側となる第２の透明基板２０の各外側表面には偏光板１０２、２０２がそれぞれ貼られている。また、ＳＴＮ型などの場合、液晶による着色解消のために、必要に応じて位相差板が、基板と偏光板の間に配置される。
【００２１】
第１の透明基板１０の内側表面には、たとえば、ＩＴＯ（Ｉｎｄｉｕｍ  Ｔｉｎ  Ｏｘｉｄｅ）膜によって、横方向に延びる複数のストライプ状電極１０５が形成され、第２の透明基板２０の内側表面には、ＩＴＯ膜によって、縦方向に延びる複数のストライプ状電極２０５が形成されている。電極１０５，２０５の一方が走査電極、他方が信号電極として機能する。これらのストライプ状電極１０５、２０５同士の各交差部分の液晶によって画素が構成される。第２の透明基板２０は第１の透明基板１０よりも大きいので、第２の透明基板２０はその一部が第１の透明基板１０の下端縁から張り出しており、この張り出し部分の端部に構成されている端子２０６には、異方性導電膜３などを介してフレキシブル配線基板２が接続されている。端子２０６は、たとえば、第２の透明基板２０に形成されているストライプ状電極２０５がそのまま張り出し部分においても配線（延在）形成されたものと、第１の透明基板１０に形成されているストライプ状電極１０５が導通材（図示せず）によって第１の透明基板１０と第２の透明基板１０の両基板間での電気的接続が図られて張り出し部分において配線形成されたものとを含んでいる。フレキシブル配線基板２と液晶パネル１の端子２０６との接続部分付近では、フレキシブル配線基板２の端部から液晶パネル１の端部にかけて樹脂モールド３４が施されている。
【００２２】
フレキシブル配線基板２は、厚さが２５μｍと薄いポリイミドフィルムからなるベースフィルム２００に、銅表面にニッケル−金などが形成された各種の配線パターン（後述する）が形成され、その表面には駆動用ＩＣ５が異方性導電膜３を介してＣＯＦ（Ｃｈｉｐ  Ｏｎ  Ｆｉｌｍ）実装されている。また、フレキシブル配線基板２には、表面実装タイプのセラミックコンデンサ６などもハンダなどの接着剤で実装されている。なお、フレキシブル配線基板２の表面のうち、部品の実装されない領域には、絶縁層としてのソルダレジスト層２９が形成されている。さらに、フレキシブル配線基板２の端部では、液晶装置１００を携帯電話などの電子機器に搭載したときに機器本体の回路基板と電気的接続するための端子２７が配線パターンの一部として形成され、これらの端子が形成された領域には、この端子領域を補強するための補強板２８が貼られている。
【００２３】
図２（Ａ）に示すように、フレキシブル配線基板２には、駆動用ＩＣ５の動作のための電源電圧および液晶パネル１０の駆動信号として用いられる液晶駆動用電圧となるグランド電位や高電位の電圧を駆動用ＩＣ５に供給する配線パターン２１、２２、および駆動用ＩＣ５から液晶パネル１０に駆動信号などを供給するための配線パターン２３が形成されているとともに、駆動用ＩＣ５に対して各種の信号を供給する配線パターン（図示せず）も形成されている。
【００２４】
また、図２（Ａ）、（Ｂ）、（Ｃ）に示すように、フレキシブル配線基板２には、グランド電位に固定された配線パターン２１から分岐して先端が駆動用ＩＣ５に接続された４本の信号調整用配線パターン２６１、２６２、２６３、２６４が並列して形成された信号調整部２６が形成されている。この信号調整用配線パターンは、後述するように、信号（電圧）レベルを調整するものであるので、この部分はボリューム調整部とも言える。従って、いずれの信号調整用配線パターン２６１、２６２、２６３、２６４も、駆動用ＩＣ５にグランド電位を供給している。
【００２５】
図３に示すように、駆動用ＩＣ５には、液晶パネル１０を駆動するための駆動回路（信号電極駆動回路５２および走査電極駆動回路５３）と、これらの駆動回路５２、５３にクロック信号などの制御信号５２０、５３０を出力して駆動回路５２、５３０から所定の駆動信号（画像信号５４０および走査信号５５０）を液晶パネル１０に出力させる駆動制御回路５０とが構成されている。また、駆動用ＩＣ５には、駆動回路５２、５３などに各種の直流電源を供給する電源回路５４が形成されている。さらに、駆動用ＩＣ５には、階調レベルに対応する波形データを保持する階調パレット５６が形成されており、駆動制御回路５０は、表示画像データ５００によって階調パレット５６から所定の階調データ５６０を信号電極駆動回路５２に出力させ、液晶パネル１０において所定の階調表示を行なわせる。なお、駆動制御回路５０には、フレキシブル配線基板２の端子部から、制御信号や画像データ信号などの各種信号が供給されている。
【００２６】
電源回路５４には、各種レベルの液晶駆動用電圧を生成する電圧生成部５７と、駆動回路５２、５３などに出力される電位レベルなどを補正するように電圧生成部５７に指令する補正指令部５５とを有している。この補正指令部５５では、所定の電位ＶＨの電源線５５０と、フレキシブル配線基板２の各信号調整用配線パターン２６１、２６２、２６３、２６４との各間にプルアップ抵抗５５１、５５２、５５３、５５４とプルダウン抵抗５５６、５５７、５５８、５５９（電気素子）が直列に接続され、プルアップ抵抗５５１、５５２、５５３、５５４とプルダウン抵抗５５６、５５７、５５８、５５９との各接続点はデコード部５５５に接続されている。
【００２７】
従って、信号調整用配線パターン２６１、２６２、２６３、２６４から駆動用ＩＣ５にグランド電位が入力されているときは、プルアップ抵抗５５１、５５２、５５３、５５４とプルダウン抵抗５５６、５５７、５５８、５５９との各接続点からデコード部５５５に出力されている信号レベルはローである。これに対して、信号調整用配線パターン２６１、２６２、２６３、２６４を切断すると、プルダウン抵抗５５６、５５７、５５８、５５９が回路的に切り離された状態になるので、プルアップ抵抗５５１、５５２、５５３、５５４とプルダウン抵抗５５６、５５７、５５８、５５９との各接続点からデコード部５５５に出力されている信号レベルはハイである。
【００２８】
また、本形態では、信号調整用配線パターン２６１、２６２、２６３、２６４に対する切断の有無に対応して、デコード部５５５に対して入力される信号レベルが変化したとき、このデコーダ部５５５からは所定の信号が電圧生成部５７に入力され、電圧生成部５７から出力される電源レベルが変化する。このようにして、画素をオン／オフさせる画像信号電圧を有する駆動信号５４０の電位レベルが補正され、表示の調整がなされる。一方、選択電圧および非選択電圧からなる走査電圧を有する駆動信号５５０の電位レベルを補正することにより、表示の調整を行うようにすることもできる。
【００２９】
たとえば、信号調整用配線パターン２６１〜２６４のうち、第１の信号調整用配線パターン２６１のみが切断され、プルアップ抵抗５５１とプルダウン抵抗５５６との各接続点からデコード部５５５に出力されている信号レベルのみがローからハイに切り換わったとき、デコーダ部５５５は、電圧生成部５７において駆動信号５４０の電位が１％、低下するような液晶駆動用電圧を生成させ出力させ。また、第２の信号調整用配線パターン２６２のみが切断され、プルアップ抵抗５５２とプルダウン抵抗５５７との各接続点からデコード部５５５に出力されている信号レベルのみがローからハイに切り換わったとき、デコーダ部５５５は、電圧生成部５７において駆動信号５４０の電位が２％、低下するような液晶駆動用電圧を生成させ出力させる。
【００３０】
これに対して、第３の信号調整用配線パターン２６３のみが切断され、プルアップ抵抗５５３とプルダウン抵抗５５８との各接続点からデコード部５５５に出力されている信号レベルのみがローからハイに切り換わったとき、デコーダ部５５５は、電圧生成部５７において駆動信号５４０の電位（画像信号電圧のオン電位またはオフ電位）が、所定の電圧範囲の中で１％、上昇するような電源を生成させ出力させる。一方、第４の信号調整用配線パターン２６４のみが切断され、プルアップ抵抗５５４とプルダウン抵抗５５９との各接続点からデコード部５５５に出力されている信号レベルのみがローからハイに切り換わったとき、デコーダ部５５５は、電圧生成部５７において駆動信号５４０の電位が２％、上昇するような電源を生成させて出力させる。
【００３１】
さらに、第１および第２の信号調整用配線パターン２６１、２６２が切断され、プルアップ抵抗５５１とプルダウン抵抗５５６との各接続点、およびプルアップ抵抗５５２とプルダウン抵抗５５７との各接続点の各々からデコード部５５５に出力されている信号レベルのみがローからハイに切り換わったとき、デコーダ部５５５は、電圧生成部５７において駆動信号５４０の電位が３％、低下する電源を生成させて出力させる。
【００３２】
また、第３および第４の信号調整用配線パターン２６３、２６４が切断され、プルアップ抵抗５５３とプルダウン抵抗５５８との各接続点、およびプルアップ抵抗５５４とプルダウン抵抗５５９との各接続点の各々からデコード部５５５に出力されている信号レベルのみがローからハイに切り換わったとき、デコーダ部５５５は、電圧生成部５７において駆動信号５４０の電位が３％、上昇するような電源を生成させて出力させる。
【００３３】
駆動信号５５０の電位（選択電圧または非選択電圧）の調整の場合も、同様に、配線パターン２６１〜２６４の切断の組み合せで、電位の変化程度を選択することができる。ただし、駆動信号のうちの複数の電位レベルを調整できるようにするためには、電源生成部に５７に対してデコーダ５５５からの信号が、駆動信号５４０，５５０のうちのどの電位レベルを調整するものか指示する信号が、別途追加される必要がある。
【００３４】
このように構成した液晶装置１において、信号調整用配線パターン２６１〜２６４の切断によって駆動信号５４０の電位を補正する方法を、図４（Ａ）、（Ｂ）、（Ｃ）、および図５（Ａ）、（Ｂ）、（Ｃ）、（Ｄ）を参照して説明する。
【００３５】
図４（Ａ）、（Ｂ）、（Ｃ）はそれぞれ、液晶装置１において駆動信号５４０の電位を１％、低下させる調整を行なった様子を示す平面図、図４（Ａ）のIVｂ−IVｂ′線でフレキシブル配線基板を切断したときの断面図、図４（Ａ）のIVｃ−IVｃ′線でフレキシブル配線基板を切断したときの断面図、および図４（Ａ）のIVｄ−IVｄ′線でフレキシブル配線基板を切断したときの断面図である。
【００３６】
図５（Ａ）、（Ｂ）、（Ｃ）、（Ｄ）はそれぞれ、液晶装置１において駆動信号５４０の電位を３％、上昇させる調整を行なった様子を示す平面図、図５（Ａ）のＶｂ−Ｖｂ′線でフレキシブル配線基板を切断したときの断面図、図５（Ａ）のＶｃ−Ｖｃ′線でフレキシブル配線基板を切断したときの断面図、図５（Ａ）のＶｄ−Ｖｄ′線でフレキシブル配線基板を切断したときの断面図、および図５（Ａ）のＶｅ−Ｖｅ′線でフレキシブル配線基板を切断したときの断面図である。
【００３７】
本形態では、まず、液晶パネル１にフレキシブル配線基板２を接続した後、このフレキシブル配線基板２を介して信号および電圧供給を実際に行なうことにより、液晶パネル１で所定の表示動作（点灯検査）を行なわせる。
【００３８】
次に、この検査結果に基いて、コントラストをより向上させるために駆動信号５４０の所定の電位を調整することが必要になった場合に、たとえば、駆動信号５４０の電位を１％、低下させたいときには、孔開け装置（図示せず）を用いて、図４（Ａ）、（Ｂ）、（Ｃ）に示すように、フレキブル配線基板２に対して、第１の信号調整用配線パターン２６１を切断するような位置に貫通孔２０１（打ち抜き孔）をあける。その結果、第１の信号調整用配線パターン２６１から補正司令部５５へのグランド電位の供給が停止するので、デコーダ部５５５のデコード入力の一つにハイレベルの信号が入り、駆動用ＩＣ５から液晶パネル１に出力される駆動信号５４０の電位が１％が低下し、コントラストを調整することができる。
【００３９】
また、駆動信号５４０の電位を３％、上昇させたいときには、孔開け装置（図示せず）を用いて、図５（Ａ）、（Ｂ）、（Ｃ）、（Ｄ）に示すように、フレキブル配線基板２に対して、第３および第４の信号調整用配線パターン２６３、２６４を切断するような位置に貫通孔２０３、２０４（打ち抜き孔）をあける。その結果、第３および第４の信号調整用配線パターン２６３、２６４から補正司令部５５へのグランド電位の供給が停止するので、デコーダ部５５のデコード入力の二つにハイレベルの信号が入り、駆動用ＩＣ５から液晶パネル１０に出力される駆動信号５４０の電位が３％が上昇し、コントラストを調整することができる。
【００４０】
また、駆動信号５５０の信号調整に関しても、駆動信号５４０について説明したのと同様に実施することができる。
【００４１】
なお、液晶パネル１にフレキシブル配線基板２を接続する前に、液晶パネル１に対してプローブを介して駆動信号を印加して、コントラストの良好な駆動信号の電位の条件を検出しておき、一方、駆動用ＩＣ５からは調整前の段階において出力される駆動信号の電位を検出し、駆動信号の電位を予め点灯検査において検出しておいた電位に合わせるように、孔開け装置を用いてフレキシブル配線基板２の信号調整用は緯線パターンを打ち抜くようにしてもよい。
【００４２】
このように本形態では、複数の信号調整用配線パターン２６１〜２６４がフレキシブル配線基板２に形成されているので、このフレキシブル配線基板２に打ち抜き孔２０１、２０３、２０４を形成することによって信号調整用配線パターン２６１〜２６４のうち所定のパターンを切断し、駆動信号の電圧レベル調整を行なう。このため、本形態では、信号調整を行なうといっても、フレキシブル配線基板２に貫通孔２０１、２０３、２０４をあけることができる簡単な孔開け装置があればよく、大掛かりなレーザカット装置が不要である。
【００４３】
［実施の形態２］
図６および図７はそれぞれ、本形態の電気光学装置としての液晶装置の要部の構成を示す平面図およびブロック図である。なお、本形態の液晶装置は、実施の形態１に係る液晶装置と基本的な構造が共通するので、共通する部分には同一の符号を付して、それらの詳細な説明省略する。また、図６において、電気光学装置本体としての液晶パネルに接続されたフレキシブル配線基板には、各種の配線パターンや端子が形成さているが、図６には、主要な配線パターンのみを図示し、その他の配線パターンについては省略してある。また、図６では、フレキシブル配線基板２に対して信号および電圧を入力する端子は、配線基板に設けたスリットにおいて配線パターンを露出させ、この部分において他の回路基板と接続する構成を例示している。
【００４４】
図６および図７において、本形態の液晶装置１００もパッシブマトリクス型の表示装置であり、それに用いた液晶パネル１も、ガラス板、石英板あるいはプラスチック板からなる透明な薄い第１の透明基板１０と、同じくガラス板、石英板、プラスチック板からなる透明な薄い第２の透明基板２０とを有している。本形態でも、第２の透明基板２０は第１の透明基板１０よりも大きいので、第２の透明基板２０はその一部が第１の透明基板１０の下端縁から張り出しており、この張り出し部分には、駆動用ＩＣ５がチップ状態でその能動面を基板側に向けて異方性導電膜によりＣＯＧ（Ｃｈｉｐ  Ｏｎ  Ｇｌａｓｓ）実装されている。
【００４５】
また、第２の透明基板２０の端部に構成されている端子２０６には、異方性導電膜などを介してフレキシブル配線基板２が接続されている。本形態では、いずれの端子２０６も駆動用ＩＣ５に接続され、駆動用ＩＣ５からは、第２の透明基板２０に形成されているストライプ状電極２０２（図７参照）および基板間導通用端子が引き出されている。また、第２の透明基板２０の基板間導通用端子には、第１の透明基板１０に形成されているストライプ状電極１０５（図７参照）が導通材によって電気的に接続されている。
【００４６】
本形態でも、フレキシブル配線基板２は、厚さが２５μｍと薄いポリイミドフィルムからなるベースフィルムに、銅表面にニッケル−金などが形成された各種の配線パターン（駆動用ＩＣ５の動作のための電源電圧および液晶パネル１０の駆動信号として用いられる液晶駆動用電圧となるグランド電位や高電位の電圧を供給する配線パターン２１、２２など）が形成されている。また、フレキシブル配線基板２には、グランド電位に固定された配線パターン２１から分岐して先端が駆動用ＩＣ５に接続された４本の信号調整用配線パターン２６１、２６２、２６３、２６４が並列して形成された信号調整部２６が形成されている。従って、いずれの信号調整用配線パターン２６１、２６２、２６３、２６４も、駆動用ＩＣ５にグランド電位を供給している。
【００４７】
図７に示すように、本形態でも、駆動用ＩＣ５には、液晶パネル１０を駆動するための駆動回路（信号電極駆動回路５２および走査電極駆動回路５３）と、これらの駆動回路５２、５３にクロック信号などの制御信号５２０、５３０を出力して駆動回路５２、５３０から所定の駆動信号（画像信号５４０および走査信号５５０）を液晶パネル１０に出力させる駆動制御回路５０とが構成されている。また、駆動用ＩＣ５には、駆動回路５２、５３などに各種の直流電源を供給する電源回路５４が形成されている。さらに、駆動用ＩＣ５には、階調レベルに対応する波形データを保持する階調パレット５６が形成されており、駆動制御回路５０は、表示画像データ５００によって階調パレット５６から所定の階調データ５６０を信号電極駆動回路５２に出力させ、液晶パネル１０において所定の階調表示を行なわせる。なお、駆動制御回路５０には、フレキシブル配線基板２の端子部から、制御信号や画像データ信号などの各種信号が供給されている。
【００４８】
本形態でも、電源回路５４には、各種レベルの液晶駆動用電圧を生成する電圧生成部５７と、駆動回路５２、５３などに出力される電位レベルなどを補正するように電圧生成部５７に指令する補正指令部５５とを有している。この補正指令部５５でも、所定の電位ＶＨの電源線５５０と、フレキシブル配線基板２の各信号調整用配線パターン２６１、２６２、２６３、２６４との各間にプルアップ抵抗５５１、５５２、５５３、５５４とプルダウン抵抗５５６、５５７、５５８、５５９が接続され、プルアップ抵抗５５１、５５２、５５３、５５４とプルダウン抵抗５５６、５５７、５５８、５５９との各接続点は、デコード部５５５に接続されている。
【００４９】
このように構成した液晶装置１００においても、実施の形態１と同様、信号調整用配線パターン２６１、２６２、２６３、２６４に対する切断の有無に対応して、デコード部５５５に対して入力される信号レベルが変化したとき、このデコーダ部５５５からは所定の信号が電圧生成部５７に入力される。その結果、電圧生成部５７から出力される電源レベルが変化するので、駆動信号５４０の電位が補正される。このようにして、画素をオン／オフさせる画像信号電圧を有する駆動信号５４０の電位レベルが補正され、表示の調整がなされる。一方、選択電圧および非選択電圧からなる走査電圧を有する駆動信号５５０の電位レベルを補正することにより、表示の調整を行うようにすることもできる。
【００５０】
従って、本形態でも、たとえば、駆動信号５４０あるいは５５０の電位を１％、低下させたいときには、孔開け装置（図示せず）を用いて、フレキブル配線基板２に対して、第１の信号調整用配線パターン２６１を切断するような位置に貫通孔（打ち抜き孔）をあける。それ故、本形態でも、信号調整を行なうといっても、フレキシブル配線基板２に貫通孔をあけることができる簡単な孔開け装置があればよく、大掛かりなレーザカット装置が不要である。
【００５１】
［その他の実施の形態］
なお、上記の実施の形態１、２では、信号調整用配線パターン２６１〜２６４を切断したとき、切断した組合わせに対応する信号を生成したが、図８に示すように、駆動用ＩＣ５の補正指令部５５（図３および図７を参照）に４つの抵抗５４１、５４２、５４３、５４４（電気素子）を並列に形成しておく一方、これら４つの抵抗５４１、５４２、５４３、５４４の各々に直列接続するように、フレキシブル配線基板２に信号調整用配線パターン２６１、２６２、２６３、２６４を備える信号調整部２６を形成してもよい。このように構成した場合に、信号調整用配線パターン２６１、２６２、２６３、２６４のいずれかを切断するような貫通孔（打ち抜き孔）をフレキシブル配線基板２に形成すると、切断された信号調整用配線パターン２６１、２６２、２６３、２６４に直列に接続する抵抗５４１、５４２、５４３、５４４が回路的に切り離されるので、グランド電位と電位ＶＨの電源線５５０との間の抵抗値を調整することができる。
【００５２】
また、実施の形態１，２においては、グランド電位の配線をフレキシブル配線基板２上に引き回して信号調整部に入力していたが、これに限定されることなく、他の電位レベルを用いてもよい。
【００５３】
また、駆動用ＩＣ５内に形成される電源回路５４に対して、信号調整部の出力を与えるようにしたが、駆動制御回路５０内のタイミング調整回路に信号調整部の出力を与え、信号電極駆動回路５２または走査電極駆動回路５３に供給するクロック信号などのタイミングを調整するようにしても構わない。これにより、デコード部５５５からの出力信号を駆動制御回路５０に入力させることにより、信号電極駆動回路５２または走査電極駆動回路５３から出力される駆動信号５４０または５５０の出力タイミングを調整し、駆動信号５４０と５５０の同期ずれやクロストーク解消の調整を行うことができる。
【００５４】
また、駆動用ＩＣ５内に形成される電源回路５４に対して、信号調整部の出力を与えるようにしたが、駆動制御回路５０内のタイミング調整回路に信号調整部の出力を与え、表示モードの選択をできるようにしてもよい。たとえば、駆動用ＩＣ５内に、ポジ・モード表示用の駆動信号出力とネガ・モード表示用の駆動信号出力の機能といったような、複数の表示モードの選択が可能なように設定しておき、信号調整部での選択によって、液晶装置の機種に応じた表示モードを選択することができる。これにより、ポジとネガの表示モードを切り替えることにより、信号電極駆動回路５２から出力される駆動信号５４０電位レベルは、オン電圧とオフ電圧が入れ替わるように、デコーダ部５５５からの出力信号に応じて駆動制御信号５０が信号電極駆動回路５２を制御することになる。
【００５５】
さらにまた、実施の形態１、２では、本発明を単純マトリクスタイプの液晶装置に適用した例を示したが、画素スイッチング素子としてＴＦＴ（Ｔｈｉｎ  Ｆｉｌｍ  Ｔｒａｎｓｉｓｔｏｒ／薄膜トランジスタ）あるいはＴＦＤ（ＴｈｉｎＦｉｌｍ  Ｄｉｏｄｅ／薄膜ダイオード）を用いたアクティブマトリクスタイプの液晶装置にも適用できる。また、本発明は、このような液晶装置に限らず、有機エレクトロルミネッセンス素子を利用した電気光学装置、ＰＤＰ（Ｐｌａｚｍａ  Ｄｉｓｐｌａｙ  Ｐａｎｅｌ／プラズマ表示パネル）やＦＥＤ（Ｆｉｅｌｄ  Ｅｍｉｓｓｉｏｎ  Ｄｉｓｐｌａｙ／電界放出表示装置）などの電気光学装置にも適用できる。
【００５６】
［電子機器の具体例］
図９（Ａ）、（Ｂ）、（Ｃ）はそれぞれ、本発明を適用した電気光学装置１を用いた電子機器の外観図である。
【００５７】
まず、図９（Ａ）は携帯電話の外観図である。この図において、１０００は携帯電話本体を示し、１００１は、本発明を適用した電気光学装置１を用いた画像表示装置（表示部）である。
【００５８】
図９（Ｂ）は、腕時計型電子機器の外観図である。この図において、１１００は時計本体を示し、１１０１は、本発明を適用した電気光学装置１を用いた画像表示装置（表示部）である。
【００５９】
図９（Ｃ）は、ワードプロセッサ、パーソナルコンピュータなどの携帯型情報処理装置の外観図である。この図において、１２００は情報処理装置を示し、１２０２はキーボードなどの入力部、１２０６は本発明を適用した電気光学装置１を用いた画像表示装置（表示部）であり、１２０４は情報処理装置本体を示す。
【００６０】
【発明の効果】
以上説明したように、本発明に係る電気光学装置では、複数の信号調整用配線パターンがフレキシブル配線基板に形成されているので、このフレキシブル配線基板に打ち抜き孔を形成して複数の信号調整用配線パターンのいずれかを切断するだけで信号調整を行なうことができる。従って、本発明では、大掛かりなレーザカット装置を準備しなくても、フレキシブル配線基板にパンチなどにより打ち抜き孔を形成できる簡単な孔開け装置だけで信号調整を行なうことができる。
【図面の簡単な説明】
【図１】本発明の実施の形態１に係る液晶装置の要部の構成を示す縦断面図である。
【図２】（Ａ）、（Ｂ）、（Ｃ）はそれぞれ、図１に示す液晶装置の要部の構成を示す平面図、図２（Ａ）のＩＩｂ−ＩＩｂ′線で切断したときの断面図、および図２（Ａ）のＩＩｃ−ＩＩｃ′線で切断したときの断面図である。
【図３】図１に示す液晶装置の要部の構成を示すブロック図である。
【図４】（Ａ）、（Ｂ）、（Ｃ）はそれぞれ、図１に示す液晶装置において駆動信号の電位を１％、低下させる調整を行なった様子を示す平面図、図４（Ａ）のIVｂ−IVｂ′線でフレキシブル配線基板を切断したときの断面図、図４（Ａ）のIVｃ−IVｃ′線でフレキシブル配線基板を切断したときの断面図、および図４（Ａ）のIVｄ−IVｄ′線でフレキシブル配線基板を切断したときの断面図である。
【図５】（Ａ）、（Ｂ）、（Ｃ）、（Ｄ）はそれぞれ、図１に示す液晶装置において駆動信号の電位を３％、上昇させる調整を行なった様子を示す平面図、図５（Ａ）のＶｂ−Ｖｂ′線でフレキシブル配線基板を切断したときの断面図、図５（Ａ）のＶｃ−Ｖｃ′線でフレキシブル配線基板を切断したときの断面図、図５（Ａ）のＶｄ−Ｖｄ′線で切断したときの断面図、および図５（Ａ）のＶｅ−Ｖｅ′線でフレキシブル配線基板を切断したときの断面図である。
【図６】本発明の実施の形態２に係る液晶装置の要部の構成を示す平面図である。
【図７】図６に示す液晶装置の要部の構成を示すブロック図である。
【図８】本発明に係るその他の実施の形態を示す説明図である。
【図９】（Ａ）、（Ｂ）、（Ｃ）はそれぞれ、本発明を適用した電気光学装置を用いた電子機器の外観図である。
【符号の説明】
１  液晶パネル（電気光学装置本体）
２  フレキシブル配線基板
５  駆動用ＩＣ（駆動手段）
１０  第１の透明基板
２０  第２の透明基板
２１  グランド電位が印加された配線パターン
２６  信号調整部
４０  液晶（電気光学物質）
５２  信号電極駆動回路
５３  走査電極駆動回路
５０  駆動制御回路
５４  電源回路
５６  階調パレット
５７  電圧生成部
５５  補正指令部
１００  液晶装置（電気光学装置）
１０５、２０５  ストライプ状電極
２００  ベースフィルム
２０１、２０３、２０４  貫通孔（打ち抜き孔）
２６１、２６２、２６３、２６４  信号調整用配線パターン
３００  液晶封入領域
５５０  電源線
５４１、５４２、５４３、５４４  抵抗
５５１、５５２、５５３、５５４  プルアップ抵抗
５５５  デコード部
５５６、５５７、５５８、５５９  プルダウン抵抗（電気素子）
【図１】
0003840870.tif 000002
【図２】
0003840870.tif 000003
【図３】
0003840870.tif 000004
【図４】
0003840870.tif 000005
【図５】
0003840870.tif 000006
【図６】
0003840870.tif 000007
【図７】
0003840870.tif 000008
【図８】
0003840870.tif 000009
【図９】
0003840870.tif 000010